(57)【特許請求の範囲】
【請求項１】
帯状の遮光被覆材の裏面に、独立気泡を有する発泡体からなる浮力材を遮光被覆材の長手方向に間隔をあけて複数個取付けたことを特徴とする防藻用カバー。
【請求項２】
水面に請求項１の防藻用カバーを複数枚平行に並べて浮かべると共に、防藻用カバーの隣接する側縁同士を重ね合わせ又は突き合わせ、これらの防藻用カバーで水面を覆ったことを特徴とする防藻構造。
【請求項３】
水槽の上端開口縁に、防藻用カバーの遮光被覆材とは別部材の端仕舞用の遮光被覆材の上端部を取付け、この遮光被覆材の下端部を水面に浮かべた防藻用カバーの端部に重ねて、水槽の側壁面と防藻用カバーの端部との隙間を覆ったことを特徴とする請求項２に記載の防藻構造。
【発明の詳細な説明】
【０００１】
【発明の属する技術分野】
本発明は、防藻用カバーと該カバーを用いた防藻構造に関する。
【０００２】
【従来の技術】
浄水場における濾過池等の水処理槽では、藻類の発生を防止するために、従来から塩素や次亜塩素酸ソーダなどの薬品を投入していたが、最近では、水処理槽の上端開口に遮光蓋を被せて藻類の発生を防止する方法が採用されるようになってきた。
【０００３】
上記のように遮光蓋を被せる方法は、水処理槽の開口面積があまり大きくない場合に適しているが、水処理槽の開口面積が大きくなると、それに見合った大型の遮光蓋が必要となり、遮光蓋の製造コストや施工費用が増大するだけでなく、遮光蓋の開閉作業や取扱い性なども低下するため、有利な方法とは言い難い。
【０００４】
そこで、本出願人は、合成樹脂製の長尺の遮光ネットよりなる防藻用カバーを開発し、この防藻用カバーを二枚以上並べて水処理槽の上端開口を覆うことを既に提案した（特願平７−２７６４３０号）。斯かる防藻用カバーは遮光蓋に比べると遥かに軽量で取扱い易く、安価であるといった長所を有するが、その反面、以下に述べるような短所があった。
【０００５】
【発明が解決しようとする課題】
即ち、上記の防藻用カバー１００は、図８に示すように、水処理槽１０１の上端開口に配設された複数組の上下ロール１０２ａ，１０２ｂ間に挿通され、これらの上下ロール１０２ａ，１０２ｂに挟まれた状態で、水処理槽１０１の上端開口に装着されるため、この装着作業が意外に面倒であった。しかも、雨が降ったり風が吹いたりすると、防藻用カバー１００が雨水の重みで下方に撓んだり、風にあおられてバタバタと上下に波打つため、隣接するカバーとカバーの間に隙間があいて光が入り、防藻効果が充分に発揮されないという問題があった。また、防藻用カバー１００で水処理槽１０１の上端開口を覆っても、ユスリカが発生しやすいという問題もあった。
これらの問題は、水処理槽に限らずプールや貯水池などの水貯溜槽を上記のように防藻用カバー１００で覆った場合にも同様に生じるものであり、その早期解決が希求されている。
【０００６】
本発明は、上記の問題を一挙に解決し得る防藻用カバーと該カバーを用いた防藻構造を提供することを目的とする。
【０００７】
【課題を解決するための手段】
上記目的を達成するため、本発明の請求項１に係る防藻用カバーは、帯状の遮光被覆材の裏面に、独立気泡を有する発泡体からなる浮力材を遮光被覆材の長手方向に間隔をあけて複数個取付けたことを特徴とする。
【０００８】
そして、本発明の請求項２に係る防藻構造は、水面に上記請求項１の防藻用カバーを複数枚平行に並べて浮かべると共に、防藻用カバーの隣接する側縁同士を重ね合わせ又は突き合わせ、これらの防藻用カバーで水面を覆ったことを特徴とし、
更に、請求項３に係る防藻構造は、上記請求項２の防藻構造において、水槽の上端開口縁に、防藻用カバーの遮光被覆材とは別部材の端仕舞用の遮光被覆材の上端部を取付け、この遮光被覆材の下端部を水面に浮かべた防藻用カバーの端部に重ねて、水槽の側壁面と防藻用カバーの端部との隙間を覆ったことを特徴とする。
【０００９】
ここに「水槽」とは、浄水場における各種の水処理槽や、プール、貯水池その他の水貯溜槽を全て包含する広い概念の用語である。
【００１０】
請求項１の防藻用カバーは、帯状の遮光被覆材の裏面に独立気泡を有する発泡体からなる浮力材を取付けたものであるから、請求項２の防藻構造のようにこの防藻用カバーを水面に浮かべると、浮力材によって防藻用カバーが水中に沈むことなく水面を覆うことができ、この防藻用カバーの遮光被覆材によって光が水中に殆ど入らなくなるため、藻類の発生を防止することができる。このように防藻用カバーを浮かべて水面を覆うと、雨が降ったり風が吹いたりしても、水との密着性により防藻用カバーが下方に撓んだり風にあおられて波打ったりすることがないため、隣接する防藻用カバーの側縁間に隙間があいて光が入る心配は殆どなく、防藻硬化を充分に発揮することが可能となり、また、水面に浮かぶ防藻用カバーによってユスリカの発生も防止できる。そして、独立気泡を有する発泡体からなる浮力材は、後述するように、縫製糸で遮光被覆材の裏面に縫付けることによって、脱落しないように簡単に取付けることができる。
【００１１】
更に、請求項３の防藻構造のように水槽の側壁面と防藻用カバーの端部との隙間を端仕舞用の遮光被覆材で覆うと、該隙間から光が入ることもなくなるので、防藻効果が一層向上することになる。
【００１２】
【発明の実施の形態】
以下、図面を参照して本発明の具体的な実施形態を詳述する。
【００１３】
図１は本発明の一実施形態に係る水処理槽の防藻構造を示す平面図、図２は同防藻構造に用いる防藻用カバーの部分平面図、図３は同防藻用カバーの拡大部分断面図、図４，図５はいずれも同防藻構造の拡大部分断面図、図６はカバー繰出・巻取機の側面図、図７はロープ巻取機の側面図である。
【００１４】
この水処理槽の防藻構造に用いる防藻用カバー１は、図１，図２，図３に示すように、帯状の遮光被覆材１ａとして遮光ネットを使用し、この遮光ネット１ａの裏面に、浮力材１ｂを遮光ネットの長手方向に間隔をあけて複数個取付けたものである。
【００１５】
遮光ネット１ａは、ポリエチレン等の合成樹脂繊維の撚り糸を縦糸及び横糸として織成した暗色ないし黒色の長尺帯状の織物からなるもので、その表面がポリ塩化ビニル等の合成樹脂でコート処理されており、特に、遮光率が７０％以上、好ましくは８５〜９５％程度のものが使用される。遮光率が８５〜９５％の遮光ネットは満足な防藻効果を発揮するが、遮光率が７０％未満の遮光ネットは遮光不充分で防藻効果に劣るため使用できない。
【００１６】
なお、帯状の遮光被覆材１ａは上記の遮光ネットのみに限定されるものではなく、上記と同様の遮光率を有する耐水性に優れた合成樹脂のフィルム、シート、布帛などがいずれも採用可能である。
【００１７】
図２に示すように、遮光ネット１ａの両側縁と長手方向両端縁（図２では一端縁のみが図示されている）には補強用テープ１ｃが装着され、両端縁の補強用テープ１ｃには複数のハトメ１ｄが設けられている。このハトメ１ｄは、後述するようにフロートパイプ２を遮光ネット１ａの端縁に取付けるときや、遮光ネット１ａの端縁を水処理槽３の側壁面のアイボルトアンカーに固定するときに利用されるものである。
【００１８】
この遮光ネット１ａの裏面に取付けられる浮力材１ｂは、遮光ネット１ａを水処理槽３内の水面に沈まないように浮かせる役目を果たすものであって、独立気泡を有する高発泡倍率の樹脂発泡体、例えば発泡倍率が３０〜５０倍程度の発泡スチロール板などが好適に使用されるが、その他にも、空気袋や中空パイプのように大きい浮力を生じさせる種々の浮力材が使用可能である。かかる浮力材１ｂは、遮光ネット１ａの幅寸法に略等しい長さを有するものが好適である。
【００１９】
この実施形態の防藻用カバー１では、浮力材１ｂとして上記の樹脂発泡体が使用され、図３に示すように、浮力材１ｂをポリエステル等の丈夫な縫製糸１ｅで遮光ネット１ａの裏面に縫付けることによって、脱落しないように取付けられている。浮力材１ｂの相互間隔は１〜５ｍ程度とするのが適当である。
【００２０】
図１に示す水処理槽の防藻構造は、上記の防藻用カバー１を複数枚平行に並べて水処理槽３内の水面に浮かべると共に、防藻用カバー１の隣接する側縁同士を重ね合わせ又は突き合わせ、これらの防藻用カバー１で水面を覆った構造となっている。
【００２１】
防藻用カバー１を浮かべて水面を覆う作業は、次の要領で行われる。
【００２２】
まず、図１に示すように、カバー繰出・巻取機４に巻取られた防藻用カバー１の先端にフロートパイプ２を取付け、このフロートパイプ２にロープ５を連結する。このフロートパイプ２は、図２に示すように、両端をキャップ２ａで閉鎖した合成樹脂製パイプからなるものであって、複数のアイボルト２ｂが取付けられており、防藻用カバー１の先端縁の前記ハトメ１ｄに装着されたカラビナ１ｆを上記のアイボルト２ｂに係合させることによって、防藻用カバー１の先端に脱着自在に取付けられる。このフロートパイプ２は、防藻用カバー１をカバー繰出・巻取機４から繰出して水面に浮かべるときに、防藻用カバー１の先端が沈まないように浮力を与えるものである。また、ロープ５は、図２に示すように、二股に分岐したロープ先端のカラビナ５ａを、上記のアイボルト２ｂと逆向きにフロートパイプ２に取付けられたアイボルト２ｃに係合させることによって、脱着自在にフロートパイプ２に連結されており、このロープ５の他端はロープ巻取機６に巻付けられる。
【００２３】
次いで、図１に示すようにロープ巻取機６でロープ５を巻取りながら、カバー繰出・巻取機４から防藻用カバー１を繰出して水処理槽３の水面に浮かべ、防藻用カバー１の先端が水処理槽３の反対側の側壁面３ａの近くまで到達すると、フロートパイプ２とロープ５を取外して、図４に示すように防藻用カバー１の先端縁のカラビナ１ｆを水処理槽３の側壁面３ａのアイボルトアンカー３ｂに係合させることにより、防藻用カバー１の先端縁を水処理槽の側壁面３ａに連結固定する。そして、防藻用カバー１の後端縁も同様に水処理槽の側壁面３ａに連結固定する。
【００２４】
上記の作業を繰返して浮かべた複数枚の防藻用カバー１によって水処理槽３内の水面を覆うと、防藻用カバー１の長手方向両端部と水処理槽の側壁面３ａとの間や、側壁面３ａに沿った防藻用カバー１の側端部と側壁面３ａとの間に、多少の隙間が生じることになる。この隙間は小さいので、そこから光が入っても防藻効果の低下を招く心配は少ないが、この隙間からも光が入らないようにすることが望ましいことは言うまでもない。そこで、この実施形態の防藻構造では、図４，図５に示すように、防藻用カバー１の遮光被覆材１ａとは別部材である端仕舞用の遮光被覆材７の上端部７ａ（補強用テープが貼付けられた上端部）を、水処理槽３の上端開口縁に設けたホールインアンカー３ｃに取付固定し、この遮光被覆材７の下端部７ｂを、図４に示すように防藻用カバー１の長手方向の端部に重ねたり、図５に示すように防藻用カバー１の側端部に重ねることによって、上記の隙間から光が入らないように遮光被覆材７で被覆している。端仕舞用の遮光被覆材７としては、前述した遮光ネットや、合成樹脂のフィルム、シート、布帛などが使用される。
【００２５】
前記のカバー繰出・巻取機４は、図６に示すように、ガイドレール８に沿って移動自在なキャスター付きの双方の基台４ａ，４ｂの軸受４ｃ，４ｄに、カバー巻取ドラム４ｅのシャフトを挿着し、一方の基台４ａに載置したギヤーモートル４ｆにカップリング４ｇを介してカバー巻取ドラム４ｅのシャフトを連結したものである。このようなカバー繰出・巻取機４は、カップリング４ｇを入れてギヤーモートル４ｆを駆動させると、防藻用カバー１をカバー巻取ドラム４ｅに巻取ることができ、カップリング４ｇを切って防藻用カバー１の先端をロープ５で引張ると、防藻用カバー１をカバー巻取ドラム４ｅから繰出すことが可能である。
【００２６】
また、前記のロープ巻取機６は、図７に示すように、ガイドレール８に沿って移動自在なキャスター付きの双方の基台６ａ，６ｂの軸受６ｃ，６ｄに、ロープ巻取ドラム６ｅのシャフトを挿着すると共に、一方の基台６ａに載置したギヤーモートル６ｆにカップリング６ｇを介して巻取ドラム６ｅのシャフトを連結したものであり、カップリング６ｇを入れてギヤーモートル６ｆを駆動させると、ロープ５を巻取ドラム６ｅに巻取ることができるようになっている。
【００２７】
尚、上記のカバー繰出・巻取機４とロープ巻取機６は、図１に示すように、水処理槽３の両側のガイドレール８に沿って、防藻用カバー１を浮かべる所定位置まで移動すると、ロープ巻取機６が作動してロープ５の巻取りを始めると共に、カバー繰出・巻取機４のドラム４ｅから防藻用カバー１が繰出され、半自動的に防藻用カバー１を水面に浮かべることができるようになっている。
【００２８】
以上のような水処理槽の防藻構造では、浮力材１ｂによって防藻用カバー１が水中に沈むことなく水面に浮かんだ状態で水面を覆うことができ、この防藻用カバー１の遮光被覆材（遮光ネット）１ａによって光が水中に殆ど入らなくなるため、藻類の発生を防止することができる。特に、この実施形態の防藻構造では、防藻用カバー１の長手方向両端部と水処理槽３の側壁面３ａとの隙間や、側壁面３ａに沿った防藻用カバー１の側端部と側壁面３ａとの隙間を端仕舞用の遮光被覆材７で覆い、これらの隙間からも光が入らないようにしているため防藻効果が一層向上する。
【００２９】
また、この防藻構造のように、防藻用カバー１を浮かべて水面を覆うと、雨が降ったり風が吹いたりしても、防藻用カバー１が下方に撓んだり風にあおられて波打つことがないため、隣接する防藻用カバー１の互いに重ね合わされた又は突き合わされた側縁間に隙間があいて光が入る心配もなくなり、更に、水面に浮かぶ防藻用カバー１によってユスリカの発生も防止することができる。
【００３０】
以上、水処理槽を例にとって本発明の防藻用カバーを用いた防藻構造を説明したが、本発明は水処理槽以外のプールや貯水槽などの水貯溜槽についても同様に適用できることは言うまでもない。
【００３１】
【発明の効果】
以上の説明から明らかなように、本発明の防藻用カバーを用いた本発明の防藻構造では、防藻用カバーが浮力材によって沈まないように水面に安定良く浮かべられ、その遮光被覆材により光を遮断して藻類の発生を防止することができると共に、ユスリカの発生も防止することができるようになり、しかも、防藻用カバーが水面に浮かんでいると、雨水の重みで防藻用カバーが下方に撓んだり風にあおられて波打つことがないため、隣接する防藻用カバー１の側縁間に隙間があいて光が入る心配も解消されるといった顕著な効果が奏される。そして、水槽の側壁面と防藻用カバーの端部との隙間を端仕舞用の遮光被覆材で更に覆った防藻構造では、一層優れた防藻効果が奏される。
【図面の簡単な説明】
【図１】本発明の一実施形態に係る水処理槽の防藻構造を示す平面図である。
【図２】同防藻構造に用いる本発明の防藻用カバーの部分平面図である。
【図３】同防藻用カバーの拡大部分断面図である。
【図４】同防藻構造の拡大部分断面図である。
【図５】同防藻構造の拡大部分断面図である。
【図６】カバー繰出・巻取機の側面図である。
【図７】ロープ巻取機の側面図である。
【図８】従来の水処理槽の防藻構造の一例を示す概略断面図である。
【符号の説明】
１  防藻用カバー
１ａ  遮光被覆材（遮光ネット）
１ｂ  浮力材
１ｃ  補強用テープ
１ｄ  ハトメ
１ｅ  縫製糸
１ｆ  カラビナ
２  フロートパイプ
３  水処理槽
３ａ  水処理槽の側壁面
３ｂ  アイボルトアンカー
３ｃ  ホールインアンカー
４  カバー繰出・巻取機
５  ロープ
６  ロープ巻取機
７  端仕舞用の遮光被覆材
７ａ  遮光被覆材の上端部
７ｂ  遮光被覆材の下端部
８  ガイドレール
【図１】
0004831861.tif 000002
【図２】
0004831861.tif 000003
【図３】
0004831861.tif 000004
【図４】
0004831861.tif 000005
【図５】
0004831861.tif 000006
【図６】
0004831861.tif 000007
【図７】
0004831861.tif 000008
【図８】
0004831861.tif 000009